(57)【要約】【課題】本発明は写真画像を含む画像の印刷装置、及びその印刷システムに関し、特にデジタルカメラを印刷装置に直接接続し、印刷システムからパーソナルコンピュータを除外し、システムを小型化して写真画像の印刷操作を簡単にした印刷装置、及びその印刷システムを提供することである。【解決手段】本発明はプリンタ装置１５をデジタルカメラ１に直接接続することにより、デジタルカメラ１側のビューファインダ４を使用して印刷処理の為のプリンタ操作用画像を表示し、また写真画像を表示し、フォーマットの選択と共に、フォーマットに印刷する写真画像も選択し、その選択に従って印刷処理を行うものであり、プリンタ装置１５に表示部を構成することなく、パーソナルコンピュータ等の接続も省略できる印刷装置、及びその印刷システムを提供するものである。このように構成することで、印刷システムをコンパクトにし、印刷処理の操作性を向上するものである。【選択図】　　図１
2004007750.tif 000002
【特許請求の範囲】
【請求項１】
ビューファインダを備えたデジタルカメラにおいて、
撮影した画像を記憶する手段と、
前記プリンタ装置に記憶されている背景画像及び前記記憶されている画像を、ユーザに選択させるために、前記ビューファインダに表示する手段と
を備えることを特徴とするデジタルカメラ。
【請求項２】
ビューファインダを備えたデジタルカメラにおいて、
複数の撮影された画像を記憶する手段と、
前記記憶されている画像及び画像を印刷するレイアウトを、ユーザに選択させるために、前記ビューファインダに表示する手段と
を備えることを特徴とするデジタルカメラ。
【請求項３】
ユーザに選択された前記レイアウトに沿って前記画像を前記デジタルカメラに接続されたプリンタ装置に送信して印刷させる手段を更に備えることを特徴とする請求項２記載のデジタルカメラ。
【請求項４】
前記レイアウトを表示するためのレイアウト情報は該デジタルカメラに接続されたプリンタ装置から送られてくることを特徴とする請求項２又は３に記載のデジタルカメラ。
【請求項５】
ユーザに選択された前記レイアウトに沿って前記画像を、プリンタ装置に送信して印刷させる手段を更に備えることを特徴とする請求項２記載のデジタルカメラ。
【請求項６】
前記レイアウトは複数のレイアウトの中からユーザによって選択されることを特徴とする請求項２乃至５のいずれか１つに記載のデジタルカメラ。
【請求項７】
ビューファインダを備えたデジタルカメラにおいて、
撮影した画像を複数記憶する記憶手段と、
前記プリンタ装置に記憶されている背景画像及び前記記憶されている複数の画像を、ユーザに選択させるために、前記ビューファインダに表示する手段と
を備えることを特徴とするデジタルカメラ。
【発明の詳細な説明】
【０００１】
【発明の属する技術分野】
本発明はデジタルカメラの表示部を利用する印刷装置、及びその印刷システムに関する。
【０００２】
【従来の技術】
今日、パーソナルコンピュータを始め、各種電子機器間でマルチメデア化が進んでいる。特に、パーソナルコンピュータは従来のデータベース、ワードプロセッサ、表計算等のアプリケーションソフトの実現に加え、メモリの増大、ＭＰＥＧ回路やモデムの内蔵により、写真等の静止画像の再生や、テレビ画像、カラオケ等の動画の再生、インターネット等の通信機能等を容易に実現できる構成となっている。
【０００３】
特に最近、従来のいわゆるアナログカメラに代わって、パーソナルコンピュータによって写真画像を直接処理できるデジタルカメラが広く市販されている。すなわち、パーソナルコンピュータに専用のソフトウェアを組み込むことにより、デジタルカメラによって撮影したデジタル画像を簡単に処理できるものである。例えば、デジタルカメラからパーソナルコンピュータに取り込んだ写真画像を印刷する場合、パーソナルコンピュータにプリンタ装置を接続し、写真画像を指定することにより簡単に希望する写真を印刷することができる。
【０００４】
【発明が解決しようとする課題】
上述の従来の印刷システムにおいては、デジタルカメラの写真画像を印刷する場合、デジタルカメラの撮影画像を一旦パーソナルコンピュータに取り込み、専用のソフトウェアによって処理し、プリンタ装置に出力して印刷処理を行っていた。したがって、従来、デジタルカメラの写真画像を印刷するためにはパーソナルコンピュータは不可欠であった。
【０００５】
また、従来のシステムではデジタルカメラから写真画像をパーソナルコンピュータに取り込み、画像処理を行い、プリンタ装置に出力するためのソフトウェアも必要であった。したがって、デジタルカメラの写真画像を印刷する際、印刷処理が複雑であった。
【０００６】
さらに、従来の印刷システムでは、デジタルカメラで撮った画像を印刷する場合、デジタルカメラ、パーソナルコンピュータ、及びプリンタ装置の３つの装置を必要とし、システムが大型化すると共に、操作が複雑であり操作性が悪く、誰でも手軽にすばやく印刷することができなかった。
【０００７】
本発明は上記課題を解決するため、デジタルカメラを印刷装置に直接接続し、印刷システムからパーソナルコンピュータを除外し、システムを小型化して写真画像の印刷操作を簡単にした印刷装置、及びその印刷システムを提供することである。
【０００８】
【課題を解決するための手段】
上記課題を解決するため、請求項１記載の発明では、ビューファインダを備えたデジタルカメラにおいて、撮影した画像を記憶する手段と、前記プリンタ装置に記憶されている背景画像及び前記記憶されている画像を、ユーザに選択させるために、前記ビューファインダに表示する手段とを備えることを特徴とするデジタルカメラを提供するものである。
【０００９】
また請求項２記載の発明では、ビューファインダを備えたデジタルカメラにおいて、
複数の撮影された画像を記憶する手段と、前記記憶されている画像及び画像を印刷するレイアウトを、ユーザに選択させるために、前記ビューファインダに表示する手段とを備えることを特徴とするデジタルカメラを提供するものである。
【００１０】
また請求項３記載の発明では、ユーザに選択された前記レイアウトに沿って前記画像を前記デジタルカメラに接続されたプリンタ装置に送信して印刷させる手段を更に備えることを特徴とする請求項２記載のデジタルカメラを提供するものである。
【００１１】
また請求項４記載の発明では、前記レイアウトを表示するためのレイアウト情報は該デジタルカメラに接続されたプリンタ装置から送られてくることを特徴とする請求項２又は３に記載のデジタルカメラを提供するものである。
また請求項５記載の発明では、ユーザに選択された前記レイアウトに沿って前記画像を、プリンタ装置に送信して印刷させる手段を更に備えることを特徴とする請求項２記載のデジタルカメラを提供するものである。
【００１２】
また請求項６記載の発明では、前記レイアウトは複数のレイアウトの中からユーザによって選択されることを特徴とする請求項２乃至５のいずれか１つに記載のデジタルカメラを提供するものである。
また請求項７記載の発明では、ビューファインダを備えたデジタルカメラにおいて、撮影した画像を複数記憶する記憶手段と、前記プリンタ装置に記憶されている背景画像及び前記記憶されている複数の画像を、ユーザに選択させるために、前記ビューファインダに表示する手段とを備えることを特徴とするデジタルカメラを提供するものである。
【００１３】
【発明の実施の形態】
以下、本発明の一実施形態例を図面を用いて詳細に説明する。
図１（ａ），（ｂ）　は、一実施形態例におけるデジタルカメラ（電子スチルカメラ）と印刷装置（以下プリンタ装置という）を接続した状態を示す外観斜視図であり、同図（ａ）　はデジタルカメラを示し、同図（ｂ）　はプリンタ装置を示している。
【００１４】
先ず、デジタルカメラ１は、同図（ａ）　に示すように、カメラ本体部２とレンズユニット部３から構成されている。カメラ本体部２は、操作機構部分が上面と背面（図１の手前側）に集約され、前面（図１の向こう側）はマークや外装模様の他には何も配置されていない。
【００１５】
カメラ本体部２の背面には、中央に大きくカラーＬＣＤから成るビューファインダ４が配設され、その近傍にスライド型のスイッチ５、６が配設されている。先ず、ビューファインダ４の上方に電源スイッチ５が配設され、右方に動作モードを画像撮影モード（ＲＥ）と画像再生モード（ＰＬ）に切替えるためのモード切換キー６が配置されている。そして、カメラ本体部２の上面には、シャッターボタン９、撮影記録済みの映像を順次呼び出して見るための「＋」キー１１、及び現在見ている画像の前の画像に戻すための「−」キー１２が配設され、その近傍の前面寄りに通信端子１３が配設されている。通信端子１３には通信ケーブル１４の一端に設けられたプラグが差し込まれる。
【００１６】
レンズユニット部３は、同図（ａ）　では向こう側になっているため見えないが、前面にレンズを備えている。このレンズユニット部３は、カメラ本体部２に対して回動可能に設けられ、同図の矢印Ａ方向に９０°に回動し、同図の矢印Ｂ方向に１８０°回動する。矢印Ｂ方向に１８０°回動してレンズが背面を向くと、レンズ位置が逆さになるが、このレンズの姿勢が内部回路で検出され、撮影中の映像が自動的に正立画像に修正されて画面表示される。
【００１７】
一方、プリンタ装置１５は、同図（ｂ）　に示すように、本体部の前面（同図の手前側）に記録紙Ｐを挿入する挿入口と印刷済みの記録紙Ｐを排出する排出口とを兼ねる用紙挿入兼排出口１６を備えている。このプリンタ装置１５の上面前方は、やや手前に傾斜して操作パネル１７が形成され、この操作パネル１７上に押しボタン型の７個の操作キー１８（「−」キー１８ａ、「＋」キー１８ｂ、「ＳＥＴ」キー１８ｃ、「ＰＯＷＥＲ」キー１８ｄ、「ＥＡＳＹ」キー１８ｅ、「ＭＥＮＵ」キー１８ｆ、「ＢＡＣＫ」キー１８ｇ）、及び通信端子１９が配設されている。通信端子１９には、上述の通信ケーブル１４の他端に設けられたプラグが差し込まれる。
【００１８】
以上の外観構成を有するデジタルカメラ１、及びプリンタ装置１５において、図２（ａ）　はデジタルカメラ１の回路ブロック図を示し、同図（ｂ）　はプリンタ装置１５の回路ブロック図を示す。
同図（ａ）　の回路ブロック図において、ＣＣＤ（電荷結合素子）２１は、映像信号をアナログ電気信号に変換して出力する撮像素子であり、不図示のレンズを介して入力する画像を撮り込む。駆動回路（ドライバ２２）はＣＣＤ２１を駆動する回路であり、タイミング・ジェネレータ２０から出力されるタイミング信号に従ってＣＣＤ２１を駆動する。
【００１９】
アナログ・デジタル変換回路（以下、Ａ／Ｄ変換器という）２４は、ＣＣＤ２１からアンプ２３を介して出力されるアナログ信号をデジタル信号に変換する回路であり、ＣＣＤ２１の出力をデジタル画像信号に変換する。また、ＤＲＡＭ２５は、変換されたデジタル画像信号を一時的に記憶する。圧縮／伸長部２６は、上述のデジタル画像信号を符号化処理により圧縮する。尚、圧縮／伸長部２６は上述とは逆に、デジタル画像信号に対して復号化処理を施し、データの伸張処理も行う。また、画像メモリ２７は圧縮／伸長部２６で圧縮したデジタル画像信号を多数画面記憶するメモリであり、例えばフラッシュメモリで構成する。
【００２０】
ビデオ信号発生部３２は、デジタル画像信号に同期信号等を付加してデジタルビデオ信号を生成する。ＶＲＡＭ３３は、デジタルビデオ信号を記憶するメモリである。デジタル・アナログ変換回路（以下、Ｄ／Ａ変換器という）３４は、ビデオ信号発生部３２から出力されたデジタルビデオ信号をアナログビデオ信号に変換し、表示手段であるカラーＬＣＤ（液晶表示器）３５に出力する回路である。カラーＬＣＤ３５は、Ｄ／Ａ変換器３４から増幅器３６を介して入力されるアナログビデオ信号に基づいて液晶を駆動して写真画像を表示する。
【００２１】
尚、ＣＧ（キャラクタジェネレータ）３７は、画像メモリ２７の画像データをカラーＬＣＤ３５に表示させるための数値データやカーソル・データ等を格納する。
一方、ＲＯＭ２８はデジタルカメラ１を駆動制御するプログラムを記憶し、このプログラムをＣＰＵ３０に出力する。ＣＰＵ３０はＲＯＭ２８に記憶するプログラムに基づいて動作し、デジタルカメラ１を制御する。尚、ＲＡＭ２９はＣＰＵ３０の制御処理の際、演算処理の中間データ等を一時的に記憶するメモリである。尚、ＣＰＵ３０は上述のように、ＲＯＭ２８に記憶するプログラムに基づいて動作し、ＲＡＭ２９のワークエリアを使用し、キー入力部３１から入力するキー操作信号に従って各部を制御する。尚、このキー入力部３１は、前述のデジタルカメラ１に配置された各種キー５〜６等が対応する。尚、Ｉ／Ｏポート３８は、シリアル信号に変換された画像信号等を入出力制御するインターフェースである。
【００２２】
ここで、上述の構成のデジタルカメラ１の動作を簡単に説明すると、先ず映像取り込みキー（シャッターボタン９）を繰作し、タイミング・ジェネレータ２１からタイミング信号を出力し、ＣＣＤ２１によって外部の映像を撮像し、ＣＣＤ２１に取り込む。ＣＣＤ２１に取り込まれた画像データは、前述のようにデジタル画像信号としてＤＲＡＭ２５に記憶され、このデータに対して輝度信号と色信号の生成処理を施し、画像信号から輝度信号と色信号を作成する。この輝度信号と色信号を圧縮／伸張部２６に転送し、輝度信号と色信号をデータ圧縮し、画像メモリ２７に記憶する。
【００２３】
次に、画像メモリ２７に記憶した画像データを再生する際には、再生キー（ＲＥキー８）を操作し、画像メモリ２７から上述の圧縮画像信号（圧縮輝度信号と色信号）を読み出し、圧縮／伸張部２６に転送する。そして、この圧縮／伸長部２６で伸長された輝度信号と色信号から成るデジタル画像信号はビデオ信号発生部３２に転送され、ビデオ信号発生部３２によってデジタル画像信号に同期信号を付加したデジタルビデオ信号が生成され、一旦この信号をＶＲＡＭ３３に書き込み、その書き込んだデジタルビデオ信号をＤ／Ａ変換器３４及び増幅器３６を介してカラーＬＣＤ３５に出力し、カラーＬＣＤ３５に表示する。
【００２４】
次に、図２（ｂ）　に示すプリンタ装置１５の構成を説明する。プリンタ装置１５はＣＰＵ４０、及びＣＰＵ４０にバス４９を介して接続された画像メモリ４１、伸長部４２、選択部４３、キー入力部４４、Ｉ／Ｏポート４５、ＲＯＭ４６、カラープリンタ部４７、ＲＡＭ４８等で構成されている。
【００２５】
上記Ｉ／Ｏポート４５は、シリアル通信機能を有する回路からなり、一般的にはワンチップＣＰＵのＬＳＩに内蔵され、外部とのデータの送受信を行う。キー入力部４４は、ＣＰＵ４０の汎用ポートに接続され、図１（ｂ）　に示した操作パネル１７の７個の操作キー１８からのキー操作信号をＣＰＵ４０に出力する。このキー操作信号に基づいて、ＣＰＵ４０の制御に基づく各種処理が行われる。これら各キー操作信号の機能については後述する。
【００２６】
ＲＯＭ４６は、ＣＰＵ４０による例えば通信処理、印刷データ作成処理、印刷処理、カレンダ作成処理等の動作プログラムを格納したプログラム領域と、例えば圧縮表示データ、圧縮背景データ、ＣＧ等の実画像データ、及びレイアウト、ミニラベル、ポストカード等の各種プリンタ操作用画像の圧縮データを格納した画像データ領域とを備えている。尚、上述の各プリンタ操作用画像は、それぞれ複数のフォーマット選択画面を有している。
【００２７】
選択部４３は、ビューファインダ４に表示する上述のプリンタ操作用画像に基づいて上述の各操作キー１８を操作することで、キー入力部４４から入力するキー操作信号に基づいて後述するＲＯＭ４６内の各プログラム、又はプリンタ操作用画像を選択し、さらに対応する各フォーマット画像を選択する。
【００２８】
画像メモリ４１は、カメラ１の画像メモリ２７から読み出されて転送される輝度信号と色信号からなる圧縮画像データを一旦格納するメモリである。
伸長部４２は、ＭＰＥＧ等の公知の画像伸長機能を有し、例えばＲＯＭ４６に記憶する背景画像や、選択されたフォーマット画像に対応する実画像を伸長する。また、デジタルカメラ１から読み出される写真画像を伸長処理する。すなわち、ＲＯＭ４６に記憶する実画像や、デジタルカメラ１から出力される写真画像が圧縮データの形態で記憶され、また転送される為、印刷画像を作成する際所定の大きさに拡大する必要があるからである。
【００２９】
ＲＡＭ４８は、ＣＰＵ４０が行う演算処理用のワーク領域、画像メモリ４１に記憶される画像データが伸長部４２で伸長処理された後にＲＯＭ４６の印刷データ作成処理プログラムに従って作成されるイエロー（Ｙ）、マゼンダ（Ｍ）、シアン（Ｃ）の各色の印刷データを記憶する印刷データ記憶領域、これら印刷データとそれを装飾する背景データ等の装飾データを合成処理する画像合成処理領域、ＣＰＵ４０により設定されるデータの記憶領域等を備えている。
【００３０】
カラープリンタ部４７は、プリンタエンジン部であり、ＤＣモータ及びステッピングモータ等を駆動するモータドライバ、印字ヘッド、各種センサが接続されている。センサは、光学式センサや機械式接点型センサ等からなり、カラー印刷用のイエロー（Ｙ）、マゼンタ（Ｍ）、シアン（Ｃ）の３色のインクリボン位置の検出や挿入される用紙Ｐの検出を行う。
【００３１】
図３は、上述のドライバやセンサの中で代表的な部材の接続構成を示す図である。すなわち、ＣＰＵ４０にはモータドライバ５０’を介してヘッド用モータ５０が接続され、モータドライバ５１’を介してリボン用モータ５１が接続され、モータドライバ５２’を介して用紙送り用モータ５２が接続されている。ヘッド用モータ５０は印字ヘッドを印字位置と非印字位置間で移動させ、印字位置において印字ヘッドはインクリボンを介して用紙を押圧する。リボン用モータ５１はインクリボンを搬送し、印字ヘッドと用紙の押圧部にイエロー（Ｙ）、マゼンタ（Ｍ）、シアン（Ｃ）の各色のインク部を順次送り込むモータである。また、用紙送り用モータ５２は用紙Ｐを１ラインごとに副走査方向に移動させるモータである。
【００３２】
尚、ＣＰＵ４０に接続する印字ヘッド５３は、セラミック板に３００ｄｐｉ（ドット／インチ）の密度で構成された９６０個の発熱体と、それを個別にオン／オフ駆動させるドライバＩＣとからなる。また、センサ５４は用紙Ｐがプリンタ装置に挿入されたことを検知するセンサである。
【００３３】
カラープリンタ部４７は、ＣＰＵ４０の制御のもと、上記１ラインごとの印刷タイミングにおいて、ＲＡＭ４８内の画像データに基づいて印刷すべき位置の発熱体を所定の時間オンさせて所定量の発熱をインクリボンに伝達し、所定の色のインクを用紙に転写し印刷画像を作成する。
【００３４】
次に、プリンタ装置１５に設けられた各キーの機能について説明する。
先ず、「ＰＯＷＥＲ」キー１８ｄは、プリンタ１５の電源をオン／オフするものである。
次に、「ＥＡＳＹ」キー１８ｅは、上記の初期画面の表示中、これを押下すると、フォーマットの選択には関係なく「簡単印刷モード」に切り換えるキーである。この「簡単印刷モード」は、デジタルカメラ１のビューファインダ４に表示される撮影済みの再生画像をそのまま印刷する処理モードである。
【００３５】
次に、「ＭＥＮＵ」キー１８ｆは、ビューファインダ４に表示する画像を初期画面に戻す機能を備えている。したがって、その初期画面の表示中は、押下操作は無効である。また、「ＢＡＣＫ」キー１８ｇは、ビューファインダ４に表示されている画面の１つ前の画面に戻す機能を有する。
【００３６】
また、「ＳＥＴ」キー１８ｃは確定キーであり、選択処理中この「ＳＥＴ」キー１８ｃを押下することでビューファインダ４に表示するフォーマットが確定し、選択画面となる。
さらに、「−」キー１８ａ及び「＋」キー１８ｂは、フォーマットの選択や後述するページの切り替えなどを行う。尚、「＋」キー１８ｂは例えば正方向送りであり、「−」キー１８ａは逆方向送りである。
【００３７】
以上の構成のプリンタ装置１５及びその印刷システムにおいて、以下にその処理動作を説明する。図４は本実施形態例の処理動作を説明するフローチャートである。
先ず、図４において、プリンタ装置１５の「ＰＯＷＥＲ」キー１８ｄをオンすると、プリンタ装置１５の制御処理が開始する。すなわち、「ＰＯＷＥＲ」キー１８ｄがオンするとＣＰＵ４０は初期設定処理を行い、先ず本例のプリンタ装置１５がデジタルカメラ１に接続されているか判断する（ステップ（以下、同図においてＳで示す）１）。この判断は、ＣＰＵ４０がＩ／Ｏポート４５を確認することにより通信ケーブル１４の接続を判断する。ここで、通信ケーブル１４を介してプリンタ装置１がデジタルカメラ１に接続されていなければ（Ｓ１がＮ（ノー））、デジタルカメラ１の接続を確認する。
【００３８】
一方、本例のプリンタ装置１５にデジタルカメラ１が接続されていれば、次に接続されたデジタルカメラ１の機種を確認する（Ｓ２）。この機種の確認は、通信ケーブル１４を介して入力する情報からコードを確認し、ＣＰＵ４０はこのコードから接続されたデジタルカメラ１の機種を判断する。
【００３９】
次に、ＣＰＵ４０はビューファインダ４にトップメニュー画面の表示命令を行う（Ｓ３）。この命令に基づき、ＲＯＭ４６からトップメニュー画面の圧縮データが読み出され、バス４９、通信ケーブル１４を介してデジタルカメラ１に出力される。デジタルカメラ１に出力されたトップメニュー画面の圧縮データは、圧縮／伸長部２６によって伸長され、ビデオ信号発生部３２で対応するビデオデータに変換された後、カラーＬＣＤ３５（ビューファインダ４）に表示される。
【００４０】
図５はデジタルカメラ１のビューファインダ４にトップメニュー画面を表示した状態を示す図である。同図に示すように、トップメニュー画面には、上下二段に合計６個のアイコンが表示される。上段左端のアイコンには下に「ＬＡＹＯＵＴ」の英文字が添描される。また、隣のアイコンには「ＣＡＬＥＮＤＡＲ」の英文字、さらに隣のアイコンには「ＭＩＮＩ」の英文字、また下段には左側から「ＰＯＳＴＣＡＲＤ」の英文字が添描されたアイコン、さらに「ＣＯＬＬＡＧＥ」の英文字が添描されたアイコン、「ＮＩＤＥＸ」の英文字が添描されたアイコンが表示される。また、この初期画面においてライン状のカーソルＣは、レイアウトのアイコンを指示する。
【００４１】
次に、ＣＰＵ４０はオペレータからのキー入力を待つ（Ｓ４がＮ（ノー））。尚、ビューファインダ４に表示するトップメニュー画面のレイアウト表示には上述のようにカーソルＣが位置し、「＋」キー１８ｂを押下することによりトップメニュー画面上でカーソルを右に移動でき、「−」キー１８ａを押下することによりカーソルを左に移動できる。尚、この移動命令はＣＰＵ４０が処理命令を通信ケーブル１４を介してデジタルカメラ１側に出力し（Ｓ４がＹ、Ｓ５）、デジタルカメラ１内のＣＧ３７からカーソルＣの表示キャラクタを読み出し、カラーＬＣＤ３５（ビューファインダ４）のトップメニュー画面上に表示するものである。尚、上述のトップメニュー画面表示状態で「ＭＥＮＵ」キー１８ｆ又は「ＢＡＣＫ」キー１８ｇを押下すると、キー入力待ち状態に戻り（Ｓ４がＹ、Ｓ４）、画面表示状態に変化はない。
【００４２】
一方、上述のトップメニュー画面の表示状態で、「ＥＡＳＹ」キー１８ｅが押下されると（Ｓ４がＹ、Ｓ６）、１画面の表示命令を出力する（Ｓ７）。この「ＥＡＳＹ」キー１８ｅを操作することは、ビューファインダ４に表示される画像をそのまま印刷する処理、すなわち前述の「簡単印刷モード」に移行することを意味する。以下、「簡単印刷モード」の印刷動作を説明する。
＜簡単印刷モード＞
このモードにおいて、「ＥＡＳＹ」キー１８ｅを押下すると、ビューファインダ４にはデジタルカメラ１によって撮影された画像の中の１画像（１コマの写真画像）が表示される。例えば、画像メモリ２７に９６枚の写真画像が圧縮データとして記憶されているとすれば、最初の写真画像「１」が画像メモリ２７から読み出され、圧縮／伸長部２６で所定の伸長処理が行われた後、ビデオ信号発生部３２で対応するビデオデータに変換され、１枚目の写真画像「１」がカラーＬＣＤ３５（ビューファインダ４）に表示される。この表示状態を示す図が、図６（ａ）　である。
【００４３】
この表示状態で、「＋」キー１８ｂを押下すると（Ｓ８がＹ、Ｓ９）、コマ送り命令が実行され（Ｓ９）、画像メモリ２７に記憶された次の写真画像「２」が読み出され、ビューファインダ４に表示される。尚、この表示状態は図６（ｂ）の表示状態であり、その後「＋」キー１８ｂを順次押下することにより、画像メモリ２７に記憶された写真画像を「３」、「４」、「５」、・・・と順次表示することができる（Ｓ８がＹ、Ｓ９）。一方、「−」キー１８ａを押下することにより逆にコマ戻しを行い、ビューファインダ４に写真画像「３」、「２」、「１」と表示する（Ｓ８がＹ、Ｓ９）。そして、印刷を希望する写真画像がビューファインダ４に表示された時、「ＳＥＴ」キー１８ｃを押下する（Ｓ８がＹ）。この処理により印刷画像が確定し（Ｓ１０）、ＣＰＵ４０は以後印刷処理を実行する。
【００４４】
一方、マルチ画面表示の印刷を希望する場合には、上述の１画面表示の状態で更に「ＥＡＳＹ」キー１８ｅを押下する（Ｓ８がＹ）。ＣＰＵ４０は、「ＥＡＳＹ」キー１８ｅが押下されると、マルチ画面の表示命令を行う（Ｓ１１）。この命令が出力すると、画像メモリ２７から最初の４コマの画像「１」〜「４」を圧縮／伸長部２６に転送され、所定の伸長処理を行った後、カラーＬＣＤ３５に４分割画面を表示する。図６（ｃ）　は、最初の４コマの写真画像「１」〜「４」の表示状態を示す。尚、この４分割画面の場合にも、上述の処理と同様、「＋」キー１８ｂを押下することにより次の画像「５」〜「８」を表示し（図６の（ｄ））、さらに「＋」キー１８ｂを押下することにより画像「９」〜「１２」、「１３」〜「１６」、・・・を順次表示する。一方、「−」キー１８ａを押下することにより、逆にコマ戻しを行い、・・・「９」〜「１２」、「８」〜「５」、「４」〜「１」と表示する（Ｓ８がＹ、Ｓ９）。そして、印刷を希望する画像がビューファインダ４に表示された時、前述と同様「ＳＥＴ」キー１８ｃを押下し（Ｓ８）、印刷画像を確定する（Ｓ１０）。
【００４５】
さらに、９分割のマルチ画面表示の印刷を希望する場合には、上述の４分割のマルチ画面表示の状態で再度「ＥＡＳＹ」キー１８ｅを押下し（Ｓ８がＹ）、９分割のマルチ画面表示命令を行う（Ｓ１１）。この命令により、画像メモリ２７から最初の９コマの写真画像「１」〜「９」が出力され、対応する伸長処理が施された後、カラーＬＣＤ３５に９分割画面を表示すると共に、最初の９コマの画像「１」〜「９」を、図６（ｅ）　に示す如く表示する。尚、「＋」キー１８ｂ又は「−」キー１８ａを押下することにより、９コマ毎に画像を更新できることは１画面表示、又は４分割画面表示の場合とも同じである（Ｓ８、Ｓ９）。また、印刷を希望する画像がビューファインダ４に９分割画面の状態で表示された時、「ＳＥＴ」キー１８ｃを押下し（Ｓ８がＹ）、印刷画像を確定する（Ｓ１０）ことも前述と同じである。
【００４６】
このようにして、ビューファインダ４に確定した写真画像を表示した後、用紙Ｐをプリンタ装置１５の用紙挿入兼排出口１６に挿入すると、センサ５４は用紙Ｐの挿入を検出し、検出信号をＣＰＵ４０に出力することにより、ＣＰＵ４０は印刷処理を開始する。
【００４７】
この印刷処理を具体的に説明する図が、図７のフローチャートである。上述のように「ＳＥＴ」キー１８ｃを押下した後、用紙Ｐを用紙挿入兼排出口１６から挿入すると（ステップ（以下、同図においてＳＴで示す）１）、ＣＰＵ４０は印刷処理を実行する（ＳＴ２）。この処理は、ビューファインダ４に表示する１画面又はマルチ画面に対応する画像データが画像メモリ２７から読み出されて通信ケーブル１４を介してプリンタ１５に取り込まれる。プリンタ１５に取り込まれた画像データは画像メモリ４１に一旦記憶される。カメラ１から転送される画像データは輝度信号と色信号からなる画像データの圧縮されたデータであるため、これを伸長部４２において所定の伸長処理を施し、更にＹ、Ｍ、Ｃ各色の印刷データに変換してＲＡＭ４８の印刷データ記憶領域に記憶する。
【００４８】
その後、ＲＡＭ４８の印刷データ記憶領域からＹ、Ｍ、Ｃ各色の印刷データを順に印字ヘッド５３に出力して用紙Ｐへの印刷処理を行う。この間、前述のリボン用モータ５１、用紙送り用モータ５２が駆動し、イエロー（Ｙ）、マゼンダ（Ｍ）、シアン（Ｃ）のインクリボンを順次印字ヘッドに送ると共に、用紙Ｐを印字部に送り、画像メモリ４１に展開されたドットパターンデータを用紙Ｐに転写し、用紙Ｐにカラー印刷を行う。
【００４９】
このようにして印字が行われた用紙Ｐは、不図示の用紙送り機構によって用紙挿入兼排出口１６まで戻され機外に排出される。また、用紙Ｐの排出はセンサ５４により検出され、ＣＰＵ４０はその印刷終了を知る（ＳＴ３）。
一方、前述の「ＳＥＴ」キー１８ｃの押下の後、用紙挿入兼排出口１６に用紙Ｐが挿入されるまでの間、キー入力があれば、そのキー操作信号から押下されたキーを判断する（ＳＴ４がＹ）。例えば、この時押下されたキーが「ＢＡＣＫ」キー１８ｇであれば、ビューファインダ４に表示した直前の画像に表示状態を戻す（ＳＴ５がＹ、ＳＴ６）。例えば、１画面表示の場合において図６（ｂ）　の表示状態であれば、同図（ａ）　の表示状態に戻す。また、図６（ｄ）　に示す４分割画面表示（マルチ画面表示）であれば、同図（ｃ）　の表示状態に戻す。また、「ＭＥＮＵ」キー１８ｆが押下されたのであれば（ＳＴ７がＹ）、最初のトップメニュー画面に戻る。また、「ＥＡＳＹ」キー１８ｅが押下されたのであれば（ＳＴ８がＹ）、上述の「ＥＡＳＹ」処理の選択画面状態に戻る。
【００５０】
以上のように処理することにより、本例のプリンタ装置１５によってビューファインダ４に表示された画像をそのまま印刷することができ、特にプリンタ装置１５に表示器を備えることなく、デジタルカメラ１側のビューファインダ４に表示する写真画像を印刷することができる。
＜レイアウト・背景印刷＞
次に、図４の説明に戻って、メニュー選択処理を説明する。このメニュー選択処理は、上述のトップメニュー画面から「ＳＥＴ」キー１８ｃを直接押下することにより移行できる。すなわち、図４のフローチャートにおいて、「ＳＥＴ」キー１８ｃを押下することで、レイアウト・背景印刷処理、カレンダー印刷処理、等の選択した処理に移行することができる（Ｓ１２）。
【００５１】
先ず、図８はレイアウト・背景印刷処理を説明するフローチャートである。前述のように、トップメニュー画面から「ＳＥＴ」キー１８ｃを押下し、レイアウト・背景印刷処理を選択すると、ＣＰＵ４０はレイアウト選択画像の表示命令を行う（ステップ（以下、同図においてＳＴＰで示す）１）。この処理は、レイアウト選択画像の圧縮データをＲＯＭ４６から読み出し、通信ケーブル１４を介してデジタルカメラ１側に送り、圧縮／伸長部２６により伸長した後、レイアウト選択画像をビューファインダ４に表示する処理である。
【００５２】
図９（ａ）　は上述のレイアウト選択画像をビューファインダ４に表示した状態を示す図である。例えば、レイアウト１は背景部５５に１枚の画像５６を印刷する例であり、レイアウト２は背景部５７に対し横方向に配置した複数枚の写真画像５８を重畳したレイアウト例であり、レイアウト３は背景部５９に縦方向に配置した複数枚の写真画像６０を重畳したレイアウト例である。以下、レイアウト４〜６もそれぞれ同図（ａ）に示す通りである。オペレータはこの表示状態において、印刷を希望するレイアウトを選択する。
【００５３】
この選択は前述と同様、「＋」キー１８ｂ又は「−」キー１８ａを押下し、カーソルＣを希望するレイアウトに移動することでことで行い（ＳＴＰ２がＹ、ＳＴＰ３）、カーソルＣが希望するレイアウトの位置に移動した時点で「ＳＥＴ」キー１８ｃを押下することでレイアウトを確定する（ＳＴＰ２がＹ、ＳＴＰ４）。尚、レイアウト選択画面は図９に示すように３枚あり、「＋」キー１８ｂの操作により１枚目のレイアウト選択画面（１／３）の表示６を越える時、２枚目のレイアウト選択画面（２／３）の表示１となる。また、同様に２枚目のレイアウト選択画面（２／３）の表示６を越える時、３枚目のレイアウト選択画面（３／３）の表示１となる。そして、勿論新たなレイアウト選択画面をビューファインダ４に表示する時、ＣＰＵ４０の制御によりＲＯＭ４６から２枚目、又は３枚目のレイアウト選択画面の圧縮データがデジタルカメラ１側に送られ、圧縮／伸長部２６で伸長後、表示する。オペレータは「ＳＥＴ」キー１８ｃを押下して、上述の３枚のレイアウト選択画面のそれぞれのフォーマット画面から希望するレイアウトを選択する。
【００５４】
尚、上述のレイアウト選択画面がビューファインダ４に表示されている時点で、「ＢＡＣＫ」キー１８ｇを押下すると、ＣＰＵ４０はビューファインダ４に表示しているレイアウト選択画面が１画面目のレイアウト選択画面（１／３）か否か判断し（ＳＴＰ５）、２画面目又は３画面目のレイアウト選択画面（２／３、３／３）であれば（ＳＴＰ５がＮ）、表示状態を１画面目のレイアウト選択画面（１／３）に戻す（ＳＴＰ６）。一方、ビューファインダ４に表示されているレイアウト選択画面が１画面目のレイアウト選択画面（１／３）であれば（ＳＴＰ５がＹ）、レイアウト・背景印刷処理を止めたものと判断し、表示状態をトップメニュー画面に戻す（ＳＴＰ５がＹ、図４のＳ３）。
【００５５】
また、上述の１／３〜３／３の何れかのレイアウト選択画面がビューファインダ４に表示されている時点で、「ＭＥＮＵ」キー１８ｆが押下された場合もトップメニュー画面に戻す（ＳＴＰ２がＹ、図４のＳ３）。
以上のようにしてレイアウト画面が設定された後、背景画像を選択する。尚、レイアウト画面に背景画像を付けない場合（ＳＴＰ７がＮ）、直ちに後述する画像選択処理に移行する（ＳＴＰ８）。一方、背景画像を付加する場合には以下の処理を行う（ＳＴＰ７がＹ、ＳＴＰ９〜ＳＴＰ１４）。
【００５６】
すなわち、先ずＣＰＵ４０は背景画像選択画面の表示命令を行い（ＳＴＰ９）、ＲＯＭ４６に記憶する背景画像選択画面の圧縮データをデジタルカメラ１側に送り、伸長処理を施した後、ビューファインダ４に表示する。図１０はその表示状態を示す図である。但し、背景画像選択画面は４枚有り、同図に示す背景画像選択画面（１／４）が初期画面として表示される。そして、背景画像の選択処理は上述のレイアウト画面の選択処理と同じであり、「＋」キー１８ｂを押下して、１枚目の背景画像選択画面（１／４）上でカーソル移動する。この処理により、カーソルは背景１→２→３→・・・と移動し、背景６に達すると２枚目の背景画像選択画面（２／４）がビューファインダ４に読み出され、更に２枚目の背景画像選択画面（２／４）の背景６に達すると、３枚目の背景画像選択画面（３／４）がビューファインダ４に読み出される。また、「−」キー１８ａを押下することにより各背景画像選択画面の背景を戻し（背景６→５→４→・・・）、「ＢＡＣＫ」キー１８ｇを押下することによって、背景画像選択画面そのものを４／４→３／４→・・・と戻して表示する（ＳＴＰ１０がＹ、ＳＴＰ１２、ＳＴＰ１３）。そして、希望する背景画像が表示された時、「ＳＥＴ」キー１８ｃを押下することでカーソルが指示する背景画像を選択できる（ＳＴＰ１０がＹ、ＳＴＰ１４）。
【００５７】
尚、上述の「ＢＡＣＫ」キー１８ｇを押下した時ビューファインダ４に表示された背景画像選択画面が１枚目（１／４）の場合、トップメニュー画面に戻り（ＳＴＰ１０がＹ、ＳＴＰ１２がＹ）、「ＭＥＮＵ」キー１８ｆが押下された時もトップメニュー画面に戻る（ＳＴＰ１０がＹ、図４のＳ３）。
【００５８】
以上のようにしてレイアウト画面とその背景画像を選択した後、実際のレイアウト画面上に表示する撮影画像を選択する。この処理が次の画像選択処理である（ＳＴＰ８）。この処理の具体的なフローチャートを図１１に示す。
先ず、画像メモリ２７に記録されている１枚目の写真画像を読み出し、圧縮／伸長部２６で所定の大きさに伸長した後、ビデオ信号発生部３２によってビデオ信号に変換し、ビューファインダ４に１枚目の写真画像を表示する（ステップ（以下、同図においてＵで示す）１）。ここで、ビューファインダ４に表示される１枚目の記録画像は、例えば前述の写真画像「１」である。そして、例えば上述の処理により選択したレイアウト画面が前述の図９に示したレイアウト１であれば、そのレイアウト「１」上に印刷する写真画像を選択する処理である。
【００５９】
一方、他の写真画像を選択する場合は画像選択処理（Ｕ３）を実行するため、「＋」キー１８ｂ、又は「−」キー１８ａを操作する。例えば、「＋」キー１８ｂ又は「−」キー１８ａを操作して画像選択処理を行う場合、「＋」キー１８ｂを押下して記録画像を順次更新し（「１」→「２」→「３」→・・・）、「−」キー１８ａを押下して記録画像を逆に順次更新し（例えば、「９６」→「９５」→「９４」→・・・）、希望する記録画像が表示された時、「ＳＥＴ」キー１８ｃを押下して記録画像を確定する（Ｕ２がＹ、Ｕ４）。
【００６０】
尚、記録画像選択画面において、「ＢＡＣＫ」キー１８ｇを押下すると、背景画像選択画面に戻り（Ｕ２がＹ、図８のＳＴＰ９）、「ＭＥＮＵ」キー１８ｆを押下するとトップメニュー画面に戻る（Ｕ２がＹ、図４のＳ３）。
次に、画像方向設定処理を行う。この処理を説明する図が、図１２のフローチャートである。画像方向設定画面の表示命令があると（ステップ（以下、同図においてＶで示す）１）、ＲＯＭ４６に記憶する画像方向設定画面の圧縮データをデジタルカメラ１側に送り、ビューファインダ４に表示する。図１３はその表示状態を示す図である。この状態で「＋」キー１８ｂを押下して、カーソルＣを左右に移動して、印刷する写真画像の方向を選択する（Ｖ２がＹ、Ｖ３）。尚、同図においては「Ａ」の文字は写真画像を示す。そして、希望する画像方向にカーソルＣが移動した時、「ＳＥＴ」キー１８ｃを押下することで写真画像の方向を決定する（Ｖ２がＹ、Ｖ４）。
【００６１】
尚、上述の「ＢＡＣＫ」キー１８ｇを押下した時、前の表示状態に戻り、「ＭＥＮＵ」キー１８ｆが押下された時、トップメニュー画面に戻る（ＳＴＰ１０がＹ、図４のＳ３）ことは前述と同様である。
以上のようにして写真画像も確定すると、レイアウト・背景印刷の印刷処理を行なう。図１４のように、プリンタ１５はデジタルカメラ１に対し、先ず印刷開始画面の転送処理を行うとともにデジタルカメラ１から選択された画像データの転送を受ける（ステップ（以下、図１４においてＷで示す）１）。
【００６２】
そして、プリンタ１５はカメラ１から転送された圧縮画像データを画像メモリ４１に記憶するとともに、伸長部４２で伸長処理し更にＹ、Ｍ、Ｃの印刷データに変換してＲＡＭ４８の印刷データ記憶領域に記憶する。そして、この印刷データをＲＡＭ４８の画像合成領域において選択されたレイアウトデータが定める配置位置に従って同じく選択された背景データと合成処理される。背景データはＲＯＭ４６に圧縮データとして記憶されているので、これを伸長部４２で伸長処理を施して画像データと合成処理する。また、この合成処理はＹ、Ｍ、Ｃの印刷データの印刷の毎に順に行われる。このようにして、印刷データをＲＡＭ４８に作成した後、用紙Ｐの挿入を待つ（Ｗ２）。
【００６３】
但し、用紙Ｐの挿入を待つ間、キー入力があると、印刷処理を中止したものと判断し（Ｗ３がＹ）、指示されたキー処理を行う。例えば、「ＢＡＣＫ」キー１８ｇが押下されれば、前の画面に戻り（Ｗ４がＹ、Ｗ５）、「ＭＥＮＵ」キー１８ｆが押下されれば、トップメニュー画面に戻り（Ｗ４がＮ、Ｗ６）、「ＥＡＳＹ」キー１８ｅが押下されれば、前述の簡単印刷画面に移行する（Ｗ６がＮ、Ｗ７がＹ）。
【００６４】
一方、用紙Ｐがプリンタ装置１５の用紙挿入兼排出口１６に挿入されると（Ｗ２がＹ）、プリンタ装置１５は印刷処理を実行する（Ｗ８）。この印刷処理は、用紙送りＣＰＵ４０の制御に従って用紙送り用モータ５２を駆動し、用紙Ｐを印字部へ送ると共に、ＲＡＭ４８から印字ヘッドにレイアウト・背景印刷画像を転送し、リボン用モータ５１を駆動してイエロー（Ｙ）、マゼンダ（Ｍ）、シアン（Ｃ）のインクリボンを印字部に送る。この処理により、用紙Ｐにはイエロー（Ｙ）、マゼンダ（Ｍ）、シアン（Ｃ）の印字が順次行われ、用紙Ｐにカラー画像が印刷される（Ｗ９）。
【００６５】
したがって、以上のように処理することにより、プリンタ装置１５は装置自体に表示器を持つことなく、写真画像のレイアウト、及び背景画像の選択処理をデジタルカメラ１側のビューファインダ４を利用して行い、その選択結果に基づく印刷処理を行うことができる。
＜カレンダー印刷処理＞
次に、カレンダー印刷処理について、図１５のフローチャートを用いて説明する。尚、このカレンダー印刷処理は、前述のトップメニュー画面から「ＳＥＴ」キー１８ｃを押下することにより移行できる。すなわち、図４のフローチャートにおいて、カーソルをカレンダー印刷の表示に移動した後、「ＳＥＴ」キー１８ｃを押下することで、カレンダー印刷処理に移行する（Ｓ１２）。
【００６６】
カレンダー印刷処理に移行すると、ＣＰＵ４０はフォーマット選択画面の表示命令を行う（ステップ（以下、同図においてＴで示す）１）。この処理は、フォーマット選択画面の圧縮データをＲＯＭ４６から読み出し、デジタルカメラ１側に送り、前述と同様伸長処理を行った後、フォーマット選択画面をビューファインダ４に表示するものである。
【００６７】
図１６は上述のフォーマット選択画面をビューファインダ４に表示した状態を示す図である。例えば、表示１は写真画像部６０を画面の左側に配置し、カレンダー部６１を画面の右側に配置する構成であり、表示２は表示１よりやや幅が広い写真画像部６２を画面の左側に配置し、カレンダー部６３を画面の右側に配置する構成であり、表示３は写真画像部６４を画面の上側に配置し、カレンダー部６５を画面の下側に配置する構成である。尚、表示４も同図に示す通りの構成である。
【００６８】
オペレータはこの表示状態において、印刷を希望するカレンダーのフォーマットを選択する。この選択処理は前述と同様、「＋」キー１８ｂ又は「−」キー１８ａを押下し、カーソルを希望するレイアウトに移動することでことで行い（Ｔ２がＹ、Ｔ３）、カーソルを希望するフォーマットの位置に移動した時点で「ＳＥＴ」キー１８ｃを押下することによってカレンダー印刷のフォーマットを確定する（Ｔ２がＹ、Ｔ４）。尚、「ＭＥＮＵ」キー１８ｆ又は「ＢＡＣＫ」キー１８ｇを押下することによりトップメニュー画面に戻ることは、前述の説明と同じである（Ｔ２がＹ、図４のＳ３）。
【００６９】
このようにして、カレンダー印刷のフォーマットを確定した後、前述と同様、画像選択処理を行う（Ｔ５）。この処理は、カレンダーフォーマットの写真画像部６０、６２、等にはめ込む写真画像を選択する処理である。具体的には、前述の図１１のフローチャートに従った処理を行う。すなわち、先ず画像メモリ２７に記録される１枚目の記録画像を読み出し、圧縮／伸長部２６で所定の大きさに伸長した後、ビューファインダ４に１枚目の記録画像「１」を表示する（Ｕ１）。ここで、ビューファインダ４に表示される１枚目の写真画像は「１」であり、例えばこの写真画像「１」を選択すれば、印刷後の画像はカレンダーフォーマットの写真画像部６０、６２、等に写真画像「１」が印刷されることになる。
【００７０】
また、他の写真をはめ込む場合には画像選択処理（Ｕ３）を実行し、前述と同様、「＋」キー１８ｂ、「−」キー１８ａを操作し、例えば「＋」キー１８ｂを押下して記録画像を順次更新し（「１」→「２」→「３」→・・・）、「−」キー１８ａを押下して記録画像を逆に順次更新し（例えば、「９６」→「９５」→「９４」→・・・）、写真画像を選択する。そして、選択した写真画像を「ＳＥＴ」キー１８ｃの押下により確定する。
【００７１】
次に、画像方向設定処理を行う（Ｔ６）。この処理も前述の図１２のフローチャートで説明したものと同じであり、印刷する写真画像の方向を決定する。
以上のようにしてカレンダー印刷のフォーマット、及び写真画像を選択した後、年号の設定処理を行う。この処理は年の設定画面の表示命令を行い（Ｔ７）、ＣＰＵ４０の制御により、ＲＯＭ４６から年の設定画面の圧縮データを読み出し、デジタルカメラ１に送り、所定の大きさに伸長処理した後、ビューファインダ４に表示する。図１６（ａ）　は、この表示状態を示す図である（Ｔ８がＹ、Ｔ９）。この表示状態において、例えば「＋」キー１８ｂを押下すると、西暦２０００年の位置を指示するカーソルＣ上の表示が２００１年→２００２年→２００３年→・・・と更新し、「−」キー１８ａを押下すると、逆に１９９９年→１９９８年→１９９７年→・・・と更新する。そして、希望する西暦を表示する時、「ＳＥＴ」キー１８ｃを押下してカレンダーの西暦を決定する（Ｔ８がＹ、Ｔ１０）。
【００７２】
このようにして、西暦の年号の設定処理が完了すると、次にＣＰＵ４０は印刷する「月」の選択処理を行う（Ｔ１１）。この処理も、ＲＯＭ４６から、例えば、１２月を示す「月」の表示データをビューファインダ４に出力し、図１６（ｃ）　に示す如く表示する（Ｔ１２がＹ、Ｔ１３）。この状態において、「＋」キー１８ｂを押下すると、カーソルＣ上の表示は１２月→１月→２月→・・・と変化し、「−」キー１８ａを押下すると、そのカーソルＣ上の表示は逆に１２月→１１月→１０月→・・・と変化する。
【００７３】
このようにして、順次変化するカーソルＣ上の表示が希望する「月」を表示する時、「ＳＥＴ」キー１８ｃを押下することにより、印刷する「月」が確定する。
このようにして西暦年号、及びその年号の「月」が確定すると、カレンダーデータの作成処理を行う（Ｔ１５）。すなわち、ＣＰＵ４０はビューファインダ４に表示する西暦年号とその年号の表示する「月」を知っており、例えばＲＯＭ４６から対応するカレンダーの圧縮データを読み出し、この圧縮データを伸長部４２で伸長後、ＲＡＭ４８にカレンダーデータを展開する。このカレンダー作成処理は、ＲＯＭ４６に記憶するカレンダー作成プログラムにより年と月を指定することで自動的に指定月のカレンダーデータを作成し、このカレンダーデータの文字データとしてＲＯＭ４６のＣＧのキャラクタパターンデータを使用するようにしてもよい。
【００７４】
上記カレンダデータは選択されたカレンダーフォーマットに従いカメラ１から転送される選択画像とＲＡＭ４８の印刷データ作成領域でＹ、Ｍ、Ｃの各色毎に合成されて印刷データが作成される。そして、図１６
（ｃ）　に示すように、プリント処理待ち状態を表示する。
【００７５】
その後、用紙Ｐがプリンタ装置１５の用紙挿入兼排出口１６に挿入されると、プリンタ装置１５は印刷処理を実行する（Ｔ１６）。この印刷処理は前述と同様、ＣＰＵ４０の制御に従って用紙送り用モータ５２を駆動し、用紙Ｐを印字部へ送り、ＲＡＭ４８から印字ヘッドに撮影画像と月のカレンダーを合成したカレンダー印刷データを転送し、リボン用モータ５１を駆動してイエロー（Ｙ）、マゼンダ（Ｍ）、シアン（Ｃ）のインクリボンを順次用紙Ｐに印刷して、定着処理を施し、用紙Ｐにカラー画像の印刷を行う。
【００７６】
したがって、以上のように処理することにより、プリンタ装置１５は装置自体に表示器を持つことなく、デジタルカメラ１側のビューファインダ４に表示したカレンダー印刷の選択画像に基づいて選択したフォーマットのカレンダー印刷を行うことができる。
＜カード印刷処理＞
次に、カード印刷処理について、図１８に示すフローチャートを用いて説明する。尚、このカード印刷処理も、前述のトップメニュー画面から「ＳＥＴ」キー１８ｃを押下することにより移行する。
【００７７】
カード印刷処理に移行すると、先ずフォーマット選択画面の表示処理命令を行い（ステップ（以下、同図においてＫで示す）１）、ＲＯＭ４６に記憶するフォーマット選択画面の圧縮データを伸長処理した後、ビューファインダ４に表示する。
【００７８】
図１９は上述のカード印刷処理のフォーマット選択画面を表示する図である。例えば、表示１は画面の中央に写真画像部６７が位置し、周りに背景が描かれている。また、表示２は画面の中央に（円形の背景の中に）写真画像部６８が位置し、周りに背景が描かれている。尚、表示３、及び表示４についても同図に示す通りである。オペレータはこの表示状態において、印刷を希望するポストカードのフォーマットを選択する。この選択処理は前述と同様、「＋」キー１８ｂ又は「−」キー１８ａを押下し、カーソルを希望するレイアウトに移動することでことで行う。例えば、「＋」キー１８ｂを押下して（Ｋ２がＹ、Ｋ３がＮ、Ｋ５がＹ）、カーソルＣを順次シフトし、表示１→２→３→４と順次移動する。また、カーソルＣが１枚目のフォーマット選択画面（１／２）の表示４を指示している場合、判断（Ｋ３）がＹとなり、次の選択画面に切り換える（Ｋ３がＹ、Ｋ４）。
【００７９】
また、逆に「−」キー１８ａを押下して、カーソルＣを順次シフトし、表示４→３→２→１と順次移動する（Ｋ２がＹ、Ｋ６がＮ、Ｋ８）。また、カーソルＣが２枚目のフォーマット選択画面（２／２）の表示１を指示している時、判断（Ｋ６）はＹとなり、前の選択画面に切り変わる（Ｋ７）。
【００８０】
このように、カーソルＣを希望するフォーマット画像に移動した後、「ＳＥＴ」キー１８ｃを押下することでカード印刷のフォーマットが確定する（Ｋ９）。次に、画像選択処理を行う（Ｋ１０）。この画像選択処理は、前述の図１１に示すフローチャートに従った処理であり、画像メモリ４１に記録する写真画像を読み出し、ビューファインダ４に表示し、上述の写真画像部６７、６８等に印刷する写真画像を選択する処理である。この処理も、「＋」キー１８ｂ、「−」キー１８ａを操作し、選択する写真画像を選択した後、「ＳＥＴ」キー１８ｃを押下して確定する。
【００８１】
次に、画像方向設定処理を行う（Ｋ１１）。この処理も前述の図１２のフローチャートに従って処理され、写真画像の方向が選択される。
以上のようにしてカード印刷処理のフォーマット、及びその中にはめ込む写真画像が確定した後（Ｋ１２）、年号の設定処理を行う。この処理も上述と同様、年の設定画面の表示命令を行い（Ｋ１３）、「＋」キー１８ｂを押下して年号を＋１づつインクリメントし（Ｋ１４がＹ、Ｋ１５）、「−」キー１８ａを押下して年号を−１づつディクリメントし（Ｋ１４がＹ、Ｋ１６）、希望する年号を表示したら「ＳＥＴ」キー１８ｃを押下してカード印刷処理の際にはめ込む年号を確定する（Ｋ１７）。このようにして確定した年号は、ＲＯＭ４６のキャラクタジュエネレータＣＧからキャラクタパターンデータとして読み出すことができる。
【００８２】
また、ＣＰＵ３０はデジタルカメラ１のＣＰＵ３０に対して選択された写真画像の圧縮データを画像メモリ２７から読み出して転送するように指令する。カメラ１から転送された圧縮画像データは、画像メモリ４１に一旦記憶しこれを伸長部４２で伸長処理し、Ｙ、Ｍ、Ｃの印刷データに変換してＲＡＭ４８の印刷データ記憶領域に記憶する。そして、これらＹ、Ｍ、Ｃの各印刷データをＲＡＭ４８の画像合成処理領域において上記設定した年号のキャラクタパターンデータと合成処理する。その後、プリント処理待ち状態を表示する。尚、この間、「ＥＡＳＹ」キー１８ｅ、「ＭＥＮＵ」キー１８ｆ、「ＢＡＣＫ」キー１８ｇが押下された時の処理は、前述の例と同じである。
【００８３】
その後、用紙Ｐがプリンタ装置１５の用紙挿入兼排出口１６に挿入されると、プリンタ装置１５は印刷処理を実行する（Ｋ１８）。この印刷処理も前述と同様であり、ＣＰＵ４０の制御に従って用紙送り用モータ５２、リボン用モータ５１を駆動してイエロー（Ｙ）、マゼンダ（Ｍ）、シアン（Ｃ）のインクリボンのインクを順次用紙Ｐに転写して、用紙Ｐにカラー画像の印刷を行う。
＜ミニラベル印刷処理＞
次に、ミニラベル印刷処理について、図２０に示すフローチャートを用いて説明する。尚、このミニラベル印刷処理も、前述のトップメニュー画面から「ＳＥＴ」キー１８ｃを押下することにより移行する。
【００８４】
このミニラベル印刷処理に移行すると、最初にミニラベルのイラスト選択画面の表示処理命令を行い（ステップ（以下、Ｍで示す）１）、ＲＯＭ４６に記憶するミニラベルのフォーマット選択画面の圧縮データを伸長処理した後、ビューファインダ４に表示する。
【００８５】
図２１（ａ）　は、ミニラベルのフォーマット選択画面を表示した状態を示す図である。ミニラベルのフォーマット選択画面は２枚あり、フォーマット選択画面（１／２、２／２）には、それぞれ表示１〜６の６枚の背景のミニラベルのフォーマット画面が描かれている。
【００８６】
オペレータはこの表示状態において、印刷を希望するミニラベルのフォーマットを選択する。この選択処理は前述と同様、「＋」キー１８ｂ又は「−」キー１８ａを押下し、カーソルＣを希望するミニラベルに移動することでことで行う。例えば、「＋」キー１８ｂを押下して（Ｍ２がＹ、Ｍ３がＮ、Ｋ４）、カーソルを表示１→２→３→４と順次シフトする。また、カーソルＣが１枚目のフォーマット選択画面（１／２）の表示４を指示している時、判断（Ｍ３）がＹとなり、次の選択画面に切り換える（Ｍ３がＹ、Ｍ５）。
【００８７】
また、逆に「−」キー１８ａを押下して、カーソルＣを順次シフトし、表示６→５→４→・・・と順次移動する（Ｍ２がＹ、Ｍ６がＮ、Ｍ７）。また、カーソルが２枚目のフォーマット選択画面（２／２）の表示１を指示している時、判断（Ｍ６）はＹとなり、前の選択画面に切り変わる（Ｍ８）。
【００８８】
このようにして、カーソルを希望するフォーマット画像に移動した後、「ＳＥＴ」キー１８ｃを押下することでミニラベル印刷のフォーマットを確定する（Ｍ９）。
次に、写真画像表示を行う（Ｍ１１）。この表示は前述と同様であり、画像メモリ２７から写真画像を読み出し、伸長処理後ビューファインダ４に表示するものであり、「＋」キー１８ｂ、「−」キー１８ａを操作して希望する写真画像を選択する（Ｍ１１がＹ、Ｍ１２又はＭ１３）。そして、「ＳＥＴ」キー１８ｃを押下することにより写真画像を確定する（Ｍ１４）。
【００８９】
以上のようにしてミニラベル印刷処理のフォーマット、及びその中にはめ込む写真画像を選択した後、プリント処理を行う（Ｍ１５）。この処理は、前述の図１４に示す処理と同じであり、用紙Ｐがプリンタ装置１５の用紙挿入兼排出口１６に挿入されると、プリンタ装置１５は印刷処理を実行する。尚、図２１（ｂ）　は上述のミニラベル印刷によって印刷されたミニラベルの一例を示す。
＜インデックス（一覧表示）印刷処理＞
次に、インデックス印刷処理について、図２２に示すフローチャートを用いて説明する。尚、このインデックス印刷処理も、前述のトップメニュー画面から「ＳＥＴ」キー１８ｃを押下することにより移行する。
【００９０】
先ず、このインデックス印刷処理において、ＣＰＵ４０はデジタルカメラ１側から画像メモリ２７に記憶する記録画像の情報を受け取る（ステップ（以下、同図においてＮで示す）１）。そして、写真画像の情報の受信が完了すると、コマ情報表示用画面の転送出力及び表示命令を行う（Ｎ２がＹ、Ｎ３）。この命令により、ＣＰＵ４０はＲＯＭ４６から圧縮されたインデックス画面をデジタルカメラ１側に出力し、ビューファインダ４に表示する。また、ＣＰＵ４０は上述の写真画像の情報からノーマルモードで何枚の写真画像が転送され、ファインモードで何枚の写真画像が転送されたかを計算し、ＲＯＭ４６から読み出したインデックス画面にこのデータを表示すべく、このデータをデジタルカメラ１側に出力し、ビューファインダ４に表示されたインデックス画像上に表示する（Ｎ４）。この時のビューファインダ４上の表示状態を示す図が、図２３（ａ）　である。
【００９１】
尚、同図（ｂ）　は本例のプリンタ装置１５に接続される機種により、ノーマルモードのみ写真画像の記憶が可能なデジタルカメラの場合の表示例である。
オペレータはこの表示状態において、「ＳＥＴ」キー１８ｃを押下することで一覧画面の確定処理を行い（Ｎ５がＹ）、印刷開始画面の転送命令を出力する（Ｎ６）。この命令に従ってＲＯＭ４６から読み出された印刷開始画面の圧縮データはデジタルカメラ１側に出力され、ビューファインダ４に表示される。この時のビューファインダ４上の表示状態を示す図が、図２３（ｃ）　である。
【００９２】
その後、用紙Ｐがプリンタ装置１５の用紙挿入兼排出口１６に挿入されると、プリンタ装置１５は印刷処理を実行する（Ｎ７がＹ、Ｎ９）。この印刷処理は前述と同様であり、用紙送り用モータ５２、及びリボン用モータ５１を駆動してイエロー（Ｙ）、マゼンダ（Ｍ）、シアン（Ｃ）のインクリボンを順次用紙Ｐに印刷して、定着処理を施し、用紙Ｐにカラー画像の印刷を行う（Ｎ１０）。
【００９３】
尚、この間、「ＥＡＳＹ」キー１８ｅ、「ＭＥＮＵ」キー１８ｆ、「ＢＡＣＫ」キー１８ｇが押下された時の処理は、前述の例と同じである（Ｎ８がＹ）。
以上のように処理することにより、プリンタ装置１５は装置自体に表示器を持つことなく、一覧画像をプリンタ装置１５によって印刷処理することができる。
【００９４】
尚、上述のようにプリンタ装置１５はデジタルカメラ１から画像メモリ２７に記憶する写真画像の情報を得ることができるので、例えばＣＰＵ４０により更に撮影可能な撮影枚数の演算を行い、ビューファインダ４に表示することもできる。このように表示することにより、デジタルカメラ１の効率良い使用も可能になる。　尚、上述の実施形態例の説明では、コラージの例を具体的に説明しないが、この場合、ポストカード印刷処理とほぼ同じ処理であり、ビューファインダ４に表示するプリンタ操作用の画像は、例えば図２４に示す表示状態となる。そして、フォーマットを選択し、写真画像を選択してプリンタ装置１５により印刷処理を行うものである。
【００９５】
【発明の効果】
以上詳細に説明したように、本発明によればデジタルカメラのビューファインダに背景と撮影画像を表示することが出来る。
また本発明によれば、デジタルカメラのビューファインダに複数の撮影画像と色々なレイアウトを表示することが出来る。
【図面の簡単な説明】
【図１】一実施の形態における電子スチルカメラとプリンタを接続した状態を示す外観斜視図であり、（ａ）　は電子スチルカメラを示す図、（ｂ）　はプリンタを示す図である。
【図２】（ａ）はデジタルカメラの回路ブロック図を示し、（ｂ）はプリンタ装置の回路ブロック図を示す。
【図３】ドライバやセンサの中で代表的な部材の接続構成を示す図である
【図４】本実施形態例の処理動作を説明するフローチャートである。
【図５】デジタルカメラのビューファインダにトップメニュー画面を表示した状態を示す図である
【図６】ビューファインダの表示状態を示す図である。
【図７】「簡単印刷モード」における印刷処理を説明する図である。
【図８】レイアウト・背景印刷の処理を説明するフローチャートである。
【図９】レイアウト画像の選択画面である。
【図１０】背景印刷画像の選択画面である。
【図１１】画像選択処理を説明するフローチャートである。
【図１２】画像方向設定処理を説明するフローチャートである。
【図１３】画像方向を選択する選択画面である。
【図１４】メニュー処理の際の印刷処理を説明するフローチャートである。
【図１５】カレンダー印刷の処理を説明するフローチャートである。
【図１６】カレンダー印刷の表示画面である。
【図１７】年号及びその年号の「月」を選択する画像である。
【図１８】カード印刷の処理を説明するフローチャートである。
【図１９】カード印刷の選択画面である。
【図２０】ミニラベル印刷の処理を説明するフローチャートである。
【図２１】（ａ）はミニラベル印刷の選択画面を示す図であり、（ｂ）は印刷処理後のミニラベルの例を示す図である。
【図２２】一覧印刷の処理を説明するフローチャートである。
【図２３】（ａ）は一覧印刷の表示例を示し、（ｂ）も一覧印刷の表示例を示し、（ｃ）はプリント待ち状態の表示例を示す図である。
【図２４】コラージ印刷の選択画面の表示例を示す図である。
【符号の説明】
１　　デジタルカメラ
２　　カメラ本体部
３　　レンズユニット部
４　　ビューファインダー
５　　電源スイッチ
６　　モード切換スイッチ
９　　シャッターボタン
１１　「＋」キー
１２　「−」キー
１３　通信端子
１４　通信ケーブル
１５　プリンタ
Ｐ　　記録紙
１６　用紙挿入兼排出口
１７　操作パネル
１８　操作キー
１８ａ　「−」キー
１８ｂ　「＋」キー
１８ｃ　「ＳＥＴ」キー
１８ｄ　「ＰＯＷＥＲ」キー
１８ｅ　「ＥＡＳＹ」キー
１８ｆ　「ＭＥＮＵ」キー
１８ｇ　「ＢＡＣＫ」キー
１９　通信端子
２０　タイミング・ジェネレータ
２１　ＣＣＤ
２２　ドライバ
２４　Ａ／Ｄ変換器
２５　ＤＲＡＭ
２６　圧縮／伸長部
２７　映像メモリ
２８　ＲＯＭ
２９　ＲＡＭ
３０　ＣＰＵ
３１　キー入力部
３２　ビデオ信号発生部
３３　ＶＲＡＭ
３４　Ｄ／Ａ変換器
３５　カラーＬＣＤ（液晶表示装置）
３６　アンプ
３７　ＣＧ
３８　Ｉ／Ｏポート
４０　ＣＰＵ
４１　画像メモリ
４２　伸長部
４３　選択部
４４　キー入力部
４５　Ｉ／Ｏポート
４６　ＲＯＭ
４７　カラープリンタ部
４８　ＲＡＭ
４９　バス
５０　リボン用モータ
５１　ヘッド用モータ
５２　用紙送りモータ
５３　印字ヘッド
５４　センサ
５５、５７、５９　背景部
５６、５８、６０、６２、６４、６７、６８　写真画像
６１、６３、６５　カレンダー部
【図１】
2004007750.tif 000003
【図２】
2004007750.tif 000004
【図３】
2004007750.tif 000005
【図４】
2004007750.tif 000006
【図５】
2004007750.tif 000007
【図６】
2004007750.tif 000008
【図７】
2004007750.tif 000009
【図８】
2004007750.tif 000010
【図９】
2004007750.tif 000011
【図１０】
2004007750.tif 000012
【図１１】
2004007750.tif 000013
【図１２】
2004007750.tif 000014
【図１３】
2004007750.tif 000015
【図１４】
2004007750.tif 000016
【図１５】
2004007750.tif 000017
【図１６】
2004007750.tif 000018
【図１７】
2004007750.tif 000019
【図１８】
2004007750.tif 000020
【図１９】
2004007750.tif 000021
【図２０】
2004007750.tif 000022
【図２１】
2004007750.tif 000023
【図２２】
2004007750.tif 000024
【図２３】
2004007750.tif 000025
【図２４】
2004007750.tif 000026